(57)【要約】【課題】複数人で決済を行う際に支払金額など複数人での決済に関する情報を一目で視覚的に把握することができ、支払金額の変更を短時間で容易に行うことができる方法、プログラム、携帯端末装置、及び記憶媒体を提供することを目的とする。【解決手段】アプリ取得部３３と支払表示部３４と支払調整部３５とを備えるタッチパネル４０を備えた携帯端末装置３０により支払金額を示すグラフが表示され、さらにグラフによって表示された支払金額をユーザのスワイプ操作などにより動的に増減できるため、複数人での決済に関する情報を視覚的に把握することができ、さらに支払金額の変更を短時間で容易に行うことができる。【選択図】図２
2018124626.tif 000002
【特許請求の範囲】
【請求項１】
タッチパネルを備えた携帯端末装置における方法であって、前記方法は、
サーバから支払支援アプリケーションを取得するステップであって、前記支払支援アプリケーションは複数のユーザから構成されるグループにより支払が行われる際に各前記ユーザが分担する支払金額の算定を行うアプリケーションである、ステップと、
前記支払支援アプリケーションを実行し、各前記ユーザが分担する前記支払金額について視覚的に示すグラフを前記タッチパネル上に表示するステップと、
前記ユーザによる前記グラフへの指示操作に応じて前記グラフによって表示された前記支払金額を動的に増減するステップと、
を備えることを特徴とする方法。
【請求項２】
前記グラフを表示するための画像データを生成するステップをさらに含むことを特徴とする請求項１に記載の方法。
【請求項３】
前記グラフを棒グラフとして、さらに前記支払金額ごとに色分けして前記タッチパネル上に表示するステップをさらに含むことを特徴とする請求項１または請求項２に記載の方法。
【請求項４】
前記指示操作に応じて前記棒グラフの長さを動的に調節して前記支払金額を動的に増減させるステップをさらに含むことを特徴とする請求項３に記載の方法。
【請求項５】
インターネットバンキングシステムにログインを行い、前記指示操作によって前記支払金額を確定させた後に前記支払金額の振込先の口座が示されたＷｅｂページのＵＲＬを前記複数のユーザに送信するステップをさらに含むことを特徴とする請求項４に記載の方法。
【請求項６】
前記支払支援アプリケーションの実行後、前記複数のユーザ名が登録された後に前記複数のユーザの属性を選択させるステップをさらに含むことを特徴とする請求項１乃至５の何れか一項に記載の方法。
【請求項７】
請求項１乃至６の何れか一項に記載の方法を携帯端末装置に実行させるためのプログラム。
【請求項８】
タッチパネルを備えた携帯端末装置であって、
前記携帯端末装置は、
サーバから支払支援アプリケーションを取得するアプリ取得部であって、前記支払支援アプリケーションは複数のユーザから構成されるグループにより支払が行われる際に各前記ユーザが分担する支払金額の算定を行うアプリケーションである、アプリ取得部と、
前記支払支援アプリケーションを実行し、各前記ユーザが分担する前記支払金額について視覚的に示すグラフを前記タッチパネル上に表示する支払表示部と、
前記ユーザによる前記グラフへの指示操作に応じて前記グラフによって表示された前記支払金額を動的に増減する支払調整部と、を
備えることを特徴とする携帯端末装置。
【請求項９】
請求項７に記載のプログラムを記録しているコンピュータ読み取り可能な記憶媒体。
【発明の詳細な説明】
【技術分野】
【０００１】
本発明は、支払金額の調整が可能な方法、プログラム、携帯端末装置、及び記憶媒体に関する。
【背景技術】
【０００２】
従来、複数の人間で飲食店に行った場合などにおいて、いわゆる割り勘（割前勘定）で決済をすることが行われている。
【０００３】
ここで、以下の特許文献１においては、スマートフォンを用いて均等割や不均等割による割り勘の金額の算定及び支払いを行う支払い処理システムが開示されている。
【先行技術文献】
【特許文献】
【０００４】
【特許文献１】特開２０１３−２５４２７９号公報
【発明の概要】
【発明が解決しようとする課題】
【０００５】
しかし、特許文献１に記載の支払い処理システムは、支払金額などの割り勘に関する情報を文字や数字によってスマートフォン上に表示している。したがって、当該情報を一目で視覚的に把握することが難しく、ユーザビリティが低いという問題がある。
【０００６】
また、特許文献１に記載の支払い処理システムは、各利用者の支払金額の変更を行う方法が具体的に開示されていない。したがって、割り勘に関する情報が文字や数字で表されている以上、支払金額の変更には変更後の金額の数字をスマートフォン上で最初から入力し直す必要があると考えられ、時間と手間がかかる。
本発明は上記実情に鑑みて提案されたもので、複数人で決済を行う際に支払金額など複数人での決済に関する情報を一目で視覚的に把握することができ、支払金額の変更を短時間で容易に行うことができる方法、プログラム、携帯端末装置及び記憶媒体を提供することを目的とする。
【課題を解決するための手段】
【０００７】
上記目的を達成するために、本発明に係る方法はタッチパネルを備えた携帯端末装置における方法であって、方法は、サーバから支払支援アプリケーションを取得するステップであって支払支援アプリケーションは複数のユーザから構成されるグループにより支払が行われる際に各ユーザが分担する支払金額の算定を行うアプリケーションであるステップと、支払支援アプリケーションを実行し各ユーザが分担する支払金額について視覚的に示すグラフをタッチパネル上に表示するステップと、ユーザによるグラフへの指示操作に応じてグラフによって表示された支払金額を動的に増減するステップとを備えることを特徴とする。
【０００８】
本発明に係る携帯端末装置はタッチパネルを備えた携帯端末装置であって、携帯端末装置は、サーバから支払支援アプリケーションを取得するアプリ取得部であって支払支援アプリケーションは複数のユーザから構成されるグループにより支払が行われる際に各前記ユーザが分担する支払金額の算定を行うアプリケーションであるアプリ取得部と、支払支援アプリケーションを実行し、各ユーザが分担する支払金額について視覚的に示すグラフをタッチパネル上に表示する支払表示部と、ユーザによるグラフへの指示操作に応じてグラフによって表示された支払金額を動的に増減する支払調整部とを備えることを特徴とする。
【０００９】
本発明は、上記方法の各ステップを携帯端末装置に実行させるためのプログラムを提供する。
【００１０】
本発明は、上記プログラムを記録しているコンピュータ読み取り可能な記憶媒体を提供する。
【発明の効果】
【００１１】
本発明によれば、複数人で決済を行う際に支払金額など複数人での決済に関する情報を一目で視覚的に把握することができ、さらに支払金額の変更を短時間で容易に行うことができるため、ユーザビリティに優れた支払支援アプリケーションを提供できる。
【図面の簡単な説明】
【００１２】
【図１】本発明の実施形態に係る携帯端末装置のシステムに関する構成図である。
【図２】本発明の実施形態に係る携帯端末装置の構成を示すブロック図である。
【図３】本発明の実施形態に係る携帯端末装置の制御部のアプリ取得部を説明するためのフローチャートである。
【図４】本発明の実施形態に係る携帯端末装置の制御部の支払表示部を説明するためのフローチャートである。
【図５】本発明の実施形態に係る携帯端末装置の制御部の支払調整部を説明するためのフローチャートである。
【図６】本発明の実施形態に係る携帯端末装置の制御部の支払表示部を説明するための画面図である。
【図７】本発明の実施形態に係る携帯端末装置の制御部の支払調整部を説明するための画面図である。
【図８】本発明の実施形態に係る携帯端末装置の制御部の支払調整部を説明するための画面図である。
【図９】本発明の実施形態に係る携帯端末装置の制御部の支払調整部を説明するための画面図である。
【図１０】本発明の実施形態に係る携帯端末装置の制御部の支払調整部を説明するための画面図である。
【発明を実施するための形態】
【００１３】
以下、本発明に係る実施形態を図面とともに説明する。
【００１４】
図１は、本発明の実施形態における携帯端末装置３０のシステム構成を示す図である。図１において、サーバ１０は、ネットワーク２０を介して携帯端末装置３０ａ〜３０ｃに接続される。なお、以下において各携帯端末装置３０ａ〜３０ｃを特に区別して記載する必要がない場合には、携帯端末装置３０と記載する。また、図１において、説明を簡単にするために携帯端末装置３０を３台だけ示しているが、これ以上存在しても良いことは言うまでもない。
【００１５】
ここで、携帯端末装置３０は、スマートフォンやタブレット型のパーソナル・コンピュータなどに代表される通信端末であり、指やスタイラスなどの指示具で直接触れることで操作可能なタッチパネルを備えたものを指す。
【００１６】
本発明に関わる実施形態における携帯端末装置３０は、サーバ１０から支払支援アプリケーションをダウンロードする。この支払支援アプリケーションとは、飲み会などのイベントの幹事であるユーザ及びイベント参加者といった複数のユーザから構成されるグループにより支払が行われる際に各人が分担する支払金額の算定を行うアプリケーションを示す。なお、支払支援アプリケーションは、以下「支払アプリ」と略す。また、イベントの種類は特に限定されない。
【００１７】
サーバ１０は、支払アプリをユーザに提供する会社などが管理するサーバである。サーバ１０は、ユーザにより携帯端末装置３０から送信された支払アプリの要求メッセージについてネットワーク２０を介して受信する。そして、サーバ１０は、再びネットワーク２０を介して携帯端末装置３０に支払アプリを送信する。
【００１８】
ここでネットワーク２０は、インターネットであっても、ＬＡＮ（Ｌｏｃａｌ Ａｒｅａ Ｎｅｔｗｏｒｋ）やＷＡＮ（ＷｉｄｅＡｒｅａ Ｎｅｔｗｏｒｋ）であってもよい。
【００１９】
次に、図２を用いて本発明に係る実施形態における携帯端末装置３０の構成について図１を参照しながら説明する。なお、図２は、携帯端末装置３０について本発明の実施に必要な構成のみを示している。
【００２０】
図２に示すように、携帯端末装置３０は、入出力部３１と、制御部３２と、記憶部３６と、通信部３９とを備えており、記憶部３６は、記憶領域として支払支援アプリケーション記憶部３７及びユーザデータ記憶部３８を備えている。
【００２１】
まず、携帯端末装置３０の記憶部３６について説明する。
【００２２】
記憶部３６は、携帯端末装置３０が動作する上で必要な各種プログラムや各種データを記憶する機能を有する。記憶部３６は、例えば、ハードディスクドライブ、ＳＳＤ、フラッシュメモリなど各種の記憶媒体により実現される。
【００２３】
ここで、記憶部３６の支払支援アプリケーション記憶部３７は、ユーザがサーバ１０からダウンロードして携帯端末装置３０にインストールした支払アプリに関するプログラムデータが格納されている。
【００２４】
記憶部３６のユーザデータ記憶部３８は、支払アプリをインストールした携帯端末装置３０のユーザによって登録されたイベント参加者などの支払者のメンバー情報が記憶される。このメンバー情報は、例えば支払者の性別や役職、年齢などが上げられる。
【００２５】
次に入出力部３１は、携帯端末装置３０に対して動作指示を入力し、データなどを外部に表示するために使用する。例えば、入出力部３１はユーザのタップ操作などによる入力を受け付け、また各種メニューボタンなどをタッチパネル上に表示する。通信部３９は、ネットワーク２０を介して情報を送受信する。
【００２６】
ここで、携帯端末装置３０の制御部３２の詳細な構成について説明する。
制御部３２は、アプリ取得部３３と、支払表示部３４と、支払調整部３５とから構成される。
【００２７】
次に制御部３２の各部の処理について説明する。
【００２８】
図３は、制御部３２のアプリ取得部３３の処理を記載したものであり、ここでは図１を参照しながら以下に説明する。
【００２９】
まず支払アプリを利用したいユーザは、携帯端末装置３０からサーバ１０の提供するＷｅｂサイトにアクセスする。携帯端末装置３０は、Ｗｅｂサイトから支払アプリのダウンロード画面に関するデータについて通信部３９を介して受信し、携帯端末装置３０のタッチパネル４０上に支払アプリのダウンロード画面を表示する。
【００３０】
次に、アプリ取得部３３は支払アプリのダウンロード画面から、携帯端末装置３０の通信部３９を介してサーバ１０に支払アプリのダウンロード要求を行う。すると、サーバ１０は支払アプリのインストール用ファイルデータについて通信部３９を介して携帯端末装置３０に送信する。つまり、携帯端末装置３０上で支払アプリのインストール用ファイルデータのダウンロードが行われる。
【００３１】
さらに、アプリ取得部３３はダウンロードされた支払アプリのインストール用ファイルデータを携帯端末装置３０にインストールすることで、支払アプリが携帯端末装置３０上で実行可能となる（ステップＳ１０１）。
【００３２】
図４は、制御部３２の支払表示部３４の処理を記載したものである。ここでは、図６を参照しながら以下に説明する。
【００３３】
まず、ユーザにより携帯端末装置３０上で支払アプリが起動される（ステップＳ２０１）。支払アプリが起動された後に、タッチパネル４０上に表示されるメニュー画面へのユーザ入力に従って支払表示部３４は、イベント参加者の名前をユーザデータ記憶部３８に登録する（ステップＳ２０２）。もちろんユーザは自分の名前を登録することもできる。ここでユーザによって登録されるイベント参加者及びユーザの名前は本名でもニックネームでもどちらでもよい。名前の登録の他に、例えば「忘年会」などイベントの名称、イベントの参加人数支払金額の総額などがユーザにより入力される。
【００３４】
次にステップＳ２０２で登録した順に表示されたイベント参加者の名前に対し、各イベント参加者の属性がユーザの指示に基づき支払アプリのメニュー画面からそれぞれ選択される（ステップＳ２０３）。ここでイベント参加者の属性とは、イベント参加者の性別や役職、年齢、イベント参加者が来た時間などを表す。ユーザは、支払表示部３４が表示したメニュー画面に示されるアイコン（例：「性別で支払い」、「職歴で支払い」など）を選択することで属性を選択することができる。
【００３５】
さらに、支払表示部３４では、選択した属性に基づいて支払金額の重みづけがなされる。例えば「属性「性別」を選択した場合、男性は、女性の１．５倍の金額を支払う」、「属性「役職」を選択した場合、中堅社員は若手社員の１．２倍の金額を支払う」、「属性「年齢」を選択した場合、年齢が４０代以上のイベント参加者は３０代以下のイベント参加者の１．３倍の金額を支払う」、「属性「イベント参加者が来た時間」を選択した場合、イベント開始時刻から終了時刻までのうち後半から出席したイベント参加者は前半から出席しているイベント参加者の０．８倍の金額を支払う」などといった支払金額の重みづけがなされる。なお、ユーザは支払金額に重みづけを行いたくない場合は、支払金額がイベント参加者及びユーザ間で均等になる「均等割り」の属性を選択することもできる。
【００３６】
支払表示部３４は、支払金額の総額をイベントの全参加人数で割り、さらにイベント参加者の属性による重みづけを勘案して自動計算することにより、ユーザも含めたイベント参加者の各支払金額を算定する。そして支払表示部３４は、算定した支払金額をグラフとして表示するための画像データを生成する（ステップＳ２０４）。
【００３７】
支払表示部３４は、生成された画像データをタッチパネル４０上に出力する。これにより、一例として図６に示すように、ユーザも含めたイベント参加者の各支払金額がグラフによりタッチパネル４０上に表示される（ステップＳ２０５）。
【００３８】
図６において、イベント参加者の各支払金額がタッチパネル４０上のグラフ表示エリア４６に棒グラフ４２ａ〜４２ｅとして表示されている。以下において棒グラフ４２ａ〜４２ｅを特に区別して記載する必要がない場合には、棒グラフ４２と記載する。なお、図６に表示されているグラフは棒グラフであるが、ユーザも含めたイベント参加者の各支払金額を視覚的にわかりやすく把握できるものであればグラフの種類は問わない。
【００３９】
図６において、棒グラフ４２ａ（山田）、棒グラフ４２ｂ（鈴木）及び棒グラフ４２ｃ（佐藤）で表示されている支払金額はそれぞれ７,５００円である。そして、棒グラフ４２ｄ（田中）及び棒グラフ４２e「伊藤」で表示されている支払金額は、それぞれ６,０００円である。これは、支払金額が７，５００円である「山田」、「鈴木」及び「佐藤」がベテラン社員であり、支払金額が６，０００円である「田中」及び「伊藤」が中堅社員である場合、ベテラン社員である「山田」、「鈴木」及び「佐藤」が、中堅社員である「田中」及び「伊藤」の１．２５倍の金額を支払うという属性の重みづけに基づいて支払金額がグラフで表示されていることを示す。
【００４０】
さらに、支払表示部３４は、棒グラフ４２の長さを各支払金額に比例して表示する。例えば、「山田」の支払金額が「佐藤」の支払金額の２倍である場合、「山田」の支払金額を表示する棒グラフ４２の長さは、「佐藤」の支払金額を表示する棒グラフ４２の長さの２倍となる。なお、イベント参加者の属性を「均等割り」など特に設定していない場合、支払金額はユーザも含めた各イベント参加者に対し均等になるように計算されるため、各棒グラフ４２の長さもそれぞれ等しくなる。
【００４１】
また、支払表示部３４は、棒グラフ４２の色を支払金額ごとに分けて表示することができる。例えば、図６において、支払金額が７,５００円と表示されている棒グラフ４２ａ「山田」、棒グラフ４２ｂ「鈴木」及び棒グラフ４２ｃ「佐藤」はそれぞれ赤色で表示することができる。また、支払金額が６,０００円と表示されている棒グラフ４２ｄ「田中」及び棒グラフ４２ｅ「伊藤」はそれぞれ緑色で表示することができる。
【００４２】
図６においては、タッチパネル４０上の総額表示エリア４１にイベントの支払金額の総額が４９，０００円と表示されている。また、グラフ表示エリア４６に示される棒グラフ４２は、タッチパネル４０を縦方向にスクロール操作することにより、全ての人数分の棒グラフ４２についてタッチパネル４０上に表示することができる。
【００４３】
ここで、タッチパネル４０上の単位表示エリア４３は、イベント参加者の各支払金額の計算が５００円単位で行われていることを示している。なお、この単位表示エリア４３に表示される計算単位の金額は変更することができる。
【００４４】
図５は、制御部３２の支払調整部３５の処理を記載したものである。ここでは、図７乃至図１０を参照しながら以下に説明する。
【００４５】
ユーザは、図４のステップＳ２０５で表示された支払金額を示す棒グラフ４２について支払金額を増加させたい場合、図７に示すように、棒グラフ４２ａ（山田）に対し指４５で右方向にスワイプ操作の指示操作を行う。すると、棒グラフ４２ａ（山田）の金額が増加する。ここで、スワイプ操作とは、タッチパネル４０上で指４５をすべらせる操作のことを指す。
【００４６】
図７のスワイプ操作を行ったあと、図８ではスワイプ操作が行われた棒グラフ４２ａ（山田）の支払金額が７,５００円から８,０００円となっている。さらに、棒グラフ４２ａ（山田）の長さも、支払金額の増加に比例して長くなる。また、棒グラフ４２ａ（山田）の支払金額５００円の増加に伴い、総額表示エリア４１に表示される端数の金額が１,０００円から５００円に減少する。
【００４７】
ユーザは、ステップＳ２０２で表示された支払金額を表す棒グラフ４２について支払金額を減少させたい場合、図９に示すように、例えば棒グラフ４２ｃ（佐藤）に対し指４５で左方向にスワイプ操作の指示操作を行うことで金額を減少させる（ステップＳ３０１）。
【００４８】
図９のスワイプ操作を行ったあと、図１０では棒グラフ４２ｃ（佐藤）の支払金額が７,５００円から７,０００円となっている。さらに、棒グラフ４２ｃ（佐藤）の長さも、支払金額の減少に比例して短くなる。また、棒グラフ４２ｃ（佐藤）の支払金額５００円の減少に伴い、総額表示エリア４１に表示される端数の金額が１,０００円から１，５００円に増加する。
【００４９】
なお図７及び図９において、タッチパネル４０上の単位表示エリア４３の金額は５００円であるため、棒グラフ４２は指示操作により５００円単位で動かすことができる。したがって、例えば単位表示エリア４３を１００円とした場合は、棒グラフ４２は指示操作により１００円単位で動かすことができる。
【００５０】
ここで、タッチパネル４０の総額表示エリア４１に表示されている「端数」は、支払金額の総額がユーザも含めたイベント参加者によって割り切れない場合の余りの金額である。当該余りの金額は例えば幹事であるユーザが支払うなど、ユーザが任意に決定できる。一方、総額表示エリア４１の「端数」の金額が単位表示エリア４３に表示されている金額未満の場合は、全イベント参加者のうち一人の棒グラフ４２のみ「端数」として表示されている金額以下の単位で動かすことで「端数」を調整することができる。例えば、図７で表示されている「端数」が３００円である場合は棒グラフ４２ｄ（田中）のみを３００円以下の単位で指示操作することにより「端数」３００円を調節することができる。
【００５１】
図７及び図９では、スワイプ操作を指４５で行っているがスタイラスなどの指示具を用いて行ってもよい。また、指示操作には、スワイプ操作のほかにタッチパネル４０を１回軽くたたくタップ操作、親指と人差し指など２本の指でタッチパネル４０に触れた後に間隔を狭めるピンチイン操作、２本の指でタッチパネル４０に触れた後に間隔を広げるピンチアウト操作などが挙げられる。しかし、棒グラフ４２の長さを調整することにより支払金額の増減ができる操作であればこれらの操作に限定されない。
【００５２】
ユーザは支払金額の按分を行った後は、確定ボタン４４を押して各支払金額を確定する。ここでユーザがメールやメッセージ交換アプリなどを用いることにより、支払調整部３５はイベント参加者に計算結果である各支払金額を通知することができる（ステップＳ３０２）。なお、支払金額を通知する際に各イベント参加者に対してユーザが作成したメッセージを送信することもできる。
【００５３】
インターネットバンキングシステムにログインすることにより、支払調整部３５は、支払金額をイベント参加者に通知する際に金融機関名、支店名、口座番号など支払金額の振込先の口座情報などが自動設定される振込先の口座が示されたＷｅｂページのURLを同時に送信することができる（ステップＳ３０３）。また、各支払金額がイベント参加者に通知された後、ユーザは本発明に関わる携帯端末装置３０を用いて各イベント参加者の支払金額の振込確認をインターネットバンキングシステムを用いて行うことができる。
【００５４】
以上のとおり、本実施形態に係る携帯端末装置３０が構成されている。次に、携帯端末装置３０の効果を説明する。
【００５５】
本実施形態によれば、支払表示部３４は、グラフを表示するための画像データを生成する。したがって、タッチパネル４０上でイベント参加者の各支払金額をグラフとして表示させることができ、支払金額の把握が容易となる。
【００５６】
本実施形態によれば、支払表示部３４は、グラフを棒グラフとして、さらに支払金額ごとに色分けしてタッチパネル４０上に表示する。したがって、不均等割りにより支払金額が複数ある場合でも見やすく、イベント参加者の各支払金額がユーザにわかりやすくなるため迅速な会計処理に役立つ。また色分けされた棒グラフの長さにより、複数の支払金額が視覚的かつ瞬間的に把握しやすくなるため金額の見間違い及び見落としが少なくなる。したがって、ユーザは会計処理をより正確に行うことができる。
【００５７】
支払調整部３５は指示操作に応じて棒グラフ４２の長さを動的に調節して支払金額を動的に増減させる。したがって、支払表示部３４で表示された棒グラフ４２についてスクロール操作などの指示操作を行うのみで容易に各支払金額を変更できる。また棒グラフ４２を用いているため、変更後の支払金額の大小が一目でわかり、支払金額の調整に役立つ。
【００５８】
支払調整部３５は、インターネットバンキングシステムにログインを行い、指示操作によって支払金額を確定させた後に支払金額の振込先の口座が示されたＷｅｂページのＵＲＬを複数のユーザに送信する。したがって、URLを受信したイベント参加者はURLをクリックすることにより、口座番号などの振込先の口座情報を入力することなく支払金額を指定された口座に振り込むことができるため効率的である。
なお、ここで支払調整部３５は、インターネットバンキングシステムにログインを行った後に指示操作により支払金額を確定させてさらにＵＲＬを複数のユーザに送信することと、指示操作により支払金額を確定させた後にインターネットバンキングシステムにログインを行ってさらにＵＲＬを複数のユーザに送信することとのいずれも行うことができる。
【００５９】
支払支援アプリケーションの実行後、支払表示部３４では複数のユーザ名が登録された後に当該複数のユーザの属性を選択させるため、個々のイベント参加者の属性を選択しやすく、また最初にユーザ名を登録しているため途中で誰の属性を選択しているかわからなくなることなどがなくなって属性をより正確に選択することができる。
【００６０】
以上、本発明に係る実施形態について説明したが、本発明はかかる実施形態に限定されるものではなく、その要旨を逸脱しない範囲で種々なる態様で実施し得ることは言うまでもない。例えば、携帯端末装置３０や制御部３２を構成する各部３３乃至３５の役割は、上述の例に限定されない。
【符号の説明】
【００６１】
１０      サーバ
２０      ネットワーク
３０ａ    携帯端末装置
３０ｂ    携帯端末装置
３０ｃ    携帯端末装置
３１      入出力部
３２      制御部
３３      アプリ取得部
３４      支払表示部
３５      支払調整部
３６      記憶部
３７      支払支援アプリケーション記憶部
３８      ユーザデータ記憶部
３９      通信部
４０      タッチパネル
４１      総額表示エリア
４２ａ    棒グラフ
４２ｂ    棒グラフ    
４２ｃ    棒グラフ
４２ｄ    棒グラフ
４２ｅ    棒グラフ
４３      単位表示エリア
４４      確定ボタン
４５      指
４６      グラフ表示エリア
【図１】
2018124626.tif 000003
【図２】
2018124626.tif 000004
【図３】
2018124626.tif 000005
【図４】
2018124626.tif 000006
【図５】
2018124626.tif 000007
【図６】
2018124626.tif 000008
【図７】
2018124626.tif 000009
【図８】
2018124626.tif 000010
【図９】
2018124626.tif 000011
【図１０】
2018124626.tif 000012
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
タッチパネルを備えた携帯端末装置における方法であって、前記方法は、
サーバから支払支援アプリケーションを取得するステップであって、前記支払支援アプリケーションは複数のユーザから構成されるグループにより支払が行われる際に各前記ユーザが分担する支払金額の算定を行うアプリケーションである、ステップと、
前記支払支援アプリケーションを実行し、ユーザにより一括して入力された支払金額の総額に基づいて、各前記ユーザが分担する前記支払金額について視覚的に示すグラフを前記タッチパネル上に表示するステップと、
前記ユーザによる前記グラフへの指示操作に応じて前記グラフによって表示された前記支払金額を動的に増減するステップであって、前記支払金額を動的に増減することに伴って、総額表示エリアに表示される端数の金額も増減するステップと、
を備えることを特徴とする方法。
【請求項２】
前記グラフを表示するための画像データを生成するステップをさらに含むことを特徴とする請求項１に記載の方法。
【請求項３】
前記グラフを棒グラフとして、さらに前記支払金額ごとに色分けして前記タッチパネル上に表示するステップをさらに含むことを特徴とする請求項１または請求項２に記載の方法。
【請求項４】
前記指示操作に応じて前記棒グラフの長さを動的に調節して前記支払金額を動的に増減させるステップをさらに含むことを特徴とする請求項３に記載の方法。
【請求項５】
インターネットバンキングシステムにログインを行い、前記指示操作によって前記支払金額を確定させた後に前記支払金額の振込先の口座が示されたＷｅｂページのＵＲＬを前記複数のユーザに送信するステップをさらに含むことを特徴とする請求項４に記載の方法。
【請求項６】
前記支払支援アプリケーションの実行後、前記複数のユーザ名が登録された後に前記複数のユーザの属性を選択させるステップをさらに含むことを特徴とする請求項１乃至５の何れか一項に記載の方法。
【請求項７】
請求項１乃至６の何れか一項に記載の方法を携帯端末装置に実行させるためのプログラム。
【請求項８】
タッチパネルを備えた携帯端末装置であって、
前記携帯端末装置は、
サーバから支払支援アプリケーションを取得するアプリ取得部であって、前記支払支援アプリケーションは複数のユーザから構成されるグループにより支払が行われる際に各前記ユーザが分担する支払金額の算定を行うアプリケーションである、アプリ取得部と、
前記支払支援アプリケーションを実行し、ユーザにより一括して入力された支払金額の総額に基づいて、各前記ユーザが分担する前記支払金額について視覚的に示すグラフを前記タッチパネル上に表示する支払表示部と、
前記ユーザによる前記グラフへの指示操作に応じて前記グラフによって表示された前記支払金額を動的に増減し、前記支払金額を動的に増減することに伴って、総額表示エリアに表示される端数の金額も増減する支払調整部と、を
備えることを特徴とする携帯端末装置。
【請求項９】
請求項７に記載のプログラムを記録しているコンピュータ読み取り可能な記憶媒体。